(57)【要約】【課題】携帯に便利であり、ネクタイに折り皺等が生じ難く、また使い易く、かつ経済的に作ることができるネクタイケースを提供する。【解決手段】ネクタイ１を収納するケース本体２は、表面部材３と、裏面部材４及び掛け部材５を備えている。この表面部材３、裏面部材４及び掛け部材５の連接部には、折り目８が形成されている。上記表面部材３及び裏面部材４はスナップボタン７を有し、このスナップボタン７によってケース本体２を閉じている。【選択図】図３
0003146449.tif 000002
【実用新案登録請求の範囲】
【請求項１】
表面部材と、裏面部材と、掛け部材を有するケース本体備え、このケース本体は、腰のある板材で上記表面部材、裏面部材及び掛け部材が連接して形成されていると共にその部材間に折り目が形成されており、そのケース本体に保定具を設けたことを特徴とするネクタイケース。
【請求項２】
掛け部材が表面部材と裏面部材の間に介在している請求項１に記載のネクタイケース。
【請求項３】
表面部材と裏面部材が連接し、その表面部材または裏面部材の外側に掛け部材が連接している請求項１に記載のネクタイケース。
【請求項４】
ケース本体に折り目を介して連接する保持部片を設け、この保持部片に保定具を支持した請求項１ないし３のいずれかに記載のネクタイケース。
【請求項５】
掛け部材に掛け孔を設けた請求項１ないし４のいずれかに記載のネクタイケース。
【請求項６】
掛け部材に折り目を介して連接する舌片を設けた請求項１ないし５のいずれかに記載のネクタイケース。
【請求項７】
裏面部材に吊り用孔を設けた請求項１ないし６のいずれかに記載のネクタイケース。
【請求項８】
吊り用孔の周縁部に切れ目を形成して支持片を設けるようにした請求項７に記載のネクタイケース。
【考案の詳細な説明】
【技術分野】
【０００１】
本考案は、ネクタイを収納するネクタイケースに関し、特に携帯に便利なネクタイケースに関する。
【背景技術】
【０００２】
一般に、ネクタイは、洋服箪笥等に収納されており、出張や旅行、冠婚葬祭等で出かける際には、その中から適当なネクタイを選択し、これを鞄やトランク、バッグ等に収容して持ち運んでいるのが実状である。このようにして持ち運ぶ場合は、通常、ネクタイを４つ折りにしたり、渦巻き状に巻いたりして鞄等内に収納しているために持ち運び難く、また、出先でネクタイを取り出してみると、ネクタイに折り目や皺が生じていることが多かった。
【考案の開示】
【考案が解決しようとする課題】
【０００３】
本考案は、このような従来の問題点を解消しようとするものであって、持ち運び易い上にネクタイに折り目や皺が生じ難く、しかも使用し易く、かつ経済的に作ることができるネクタイケースを提供しようとするものである。
【課題を解決するための手段】
【０００４】
本考案は、腰のある板材で表面部材、裏面部材及び掛け部材を連接して形成すると共にその部材間に折り目を形成したケース本体備えており、このケース本体に保定具を設けたものである。
【０００５】
また、本考案は、上記表面部材と裏面部材の間に掛け部材を介在させたり、表面部材と裏面部材を連接させその表面部材または裏面部材の外側に上記掛け部材を連接させるようにしたものである。
【０００６】
更に、本考案は、ケース本体に保持部片を設け、この保持部片に保定具を支持するようにしたものである。
【０００７】
また、本考案は、掛け部材に掛け孔を設けたり、掛け部材に舌片を設けたりしてネクタイを掛け易くしたものである。
【０００８】
更に、本考案は、裏面部材に吊り用孔を設けたり、裏面部材に設けた吊り用孔の周縁部に切れ目を形成し支持片を設けたりして、ケース本体が吊り下げられるようにしたものである
【考案の効果】
【０００９】
本考案は、上記のように構成されており、ネクタイを掛け部材に巻くだけで簡単にケース内に収納することができ、持ち運び易いと共に、その際にネクタイに折り目や皺を生じることなく、使用に便利である。また、出先等でケースをハンガー等に掛けておくことができ、しかもケースが板材で形成されているので、作り易く、かつ経済的に作ることができる。
【考案を実施するための最良の形態】
【００１０】
ネクタイを収納するケース本体は、表面部材と、裏面部材と、掛け部材を備えており、これらの部材が腰のある板材で形成されている。この表面部材と裏面部材は対称に形成することができるので、そのどちらを表面にしてもよいが、本考案では説明の便宜上、一方を表面部材とし、他方を裏面部材としている。
板材としては、腰のあるポリプロピレン、ポリエチレン、ポリ塩化ビニールその他のプラスチック材あるいは厚紙にプラスチックシートを被覆したもの等を用いることができる。ケース本体は、上記板材から表面部材、裏面部材及び掛け部材を連接した状態で切り出し、その連接部を形押しし折り目を形成するようにして作ることができる。
また、上記ケース本体は、上記表面部材と裏面部材の間に掛け部材を介在させたり、表面部材または裏面部材の外側に掛け部材を介在させたりして形成される。
【００１１】
ケース本体には、保定部片が設けられており、この保定部片にスナップボタンやホック、面ファスナー等の保定具が装着される。この保定具によって、上記掛け部材にネクタイを巻き掛け表面部材と裏面部材を折り目に沿って折り曲げた後、これらの部材を保持するようにしている。この保定具には、適宜、着色したり、模様等を施すことができ、これによって保定具を複数用いた場合に、同色、同じ模様どうしの保定具を用いることができるようになっている。
上記掛け部材には、適宜、ネクタイの掛け孔を設けることができ、掛け孔を設けた場合はこの掛け孔にネクタイを通して支持するようにする。この場合、掛け部材の巻き付け方向の縁部に舌片を設け、これを折り目に沿って折り曲げておくと、この掛け部材にネクタイを巻く際に、扁平な掛け部材の周面に脹らみを設けることができ、ネクタイに折り皺等が発生するのを更に防ぐことができる。また、掛け部材を表面部材または裏面部材の外側に設けた場合に、掛け部材の側縁に舌片を設け、これを折り目に沿って折り曲げておくと、掛け部材の折り曲げ強度を高めたり、巻回がし易くなる。
【００１２】
上記裏面部材には、ケース本体をハンガーの吊り具や鴨居や壁等に固定したフック等に吊り下げておくことができるように吊り用孔が設けられている。この吊り用孔の周縁部には半円状やコ字状、Ｖ字状等の切れ目が形成されており、この切れ目によって吊り用の支持片が形成されている。なお、この支持片は、裏面部材内に設けてもよく、また裏面部材の外側に延出させて設けるようにしてもよい。
【実施例】
【００１３】
図１、図２及び図３に示すように、ネクタイ１を収納するケース本体２は、表面部材３と、裏面部材４と、掛け部材５を備えており、その掛け部材５と、上記表面部材３及び裏面部材４との連接部には折り目８が形成されている。
【００１４】
ネクタイ１を上記ケース本体２に収納して持ち運ぶ際は、先ずネクタイ１を上記掛け部材５の周囲に直接巻き付けたり、あるいは、図３に示すように、ネクタイ１を掛け部材５の上縁に掛けた後、その掛け部材５に形成された掛け孔６にネクタイの幅細の部分を通し、図４に示すように巻き付ける。次に、この巻回したネクタイ部分を覆うように上記表面部材３と裏面部材４をその折り目８に沿って折り曲げて宛がい、この表面部材３と裏面部材４に設けたスナップボタン等の保定具７を用いて表面部材３と裏面部材４を保定する（図５参照）。なお、実施例では、上記スナップボタン７の凹部９を表面部材３と裏面部材４に折り目１０を介して設けた保定部片１１にそれぞれ取り付け、スナップボタン７の凸部１２をそれぞれ上記表面部材３と裏面部材４に設けている。
【００１５】
上記裏面部材４には、ケース本体２を吊り下げておくための吊り用孔１３が設けられている。この例では、吊り用孔１３の周縁部には半円状の切れ目１４を形成してＵ字状の支持片１５が設けられており、上記ケース本体２を吊り下げる場合は、図７に示すように、この支持片１５を起立させ、その吊り用孔１３にハンガー１６の吊り具１７を通して吊り下げている。なお、この場合は、上記掛け部材５の掛け孔６にネクタイ１を通している。この掛け孔６は、上記例では３個設けられているが、その他の個数のものとすることができる。
【００１６】
図８に示すケース本体２は、上記表面部材３と裏面部材４を隣接させ、その裏面部材４の外側に掛け部材５を設けた場合であり、この場合には、上記スナップボタンが1対設けられる。
【００１７】
また、図９に示すケース本体２は、掛け部材５の縁部に折り目２０を介して舌片１８を設けた場合であり、この舌片１８を折り目２０に沿って折り曲げることによって掛け部材５の周囲にネクタイ１を巻回した際に脹らみを持たせ、ネクタイに折り目や皺が発生するのを更に防いでいる。
【００１８】
また、図１０に示すケース本体２は、掛け部材５の縁部に折り目２０，２１を介してそれぞれ舌片１８、１９を設けた場合であり、この舌片１８、１９を折り目２０，２１に沿って折り曲げることによって掛け部材５の周囲にネクタイ１を巻回した際に舌片１８により脹らみを持たせ、より一層ネクタイに折り皺等が生じないようにすると共に、舌片１９によって、掛け部材５の曲げ強度を高め、またネクタイ巻回する際の案内として作用させ更に巻き易くしている。
【００１９】
なお、上記ケース本体２は、図２、図８〜図１０に展開図で示すように、プラスチック板材より切り出し、その折り目を形押しして形成することができる。
【図面の簡単な説明】
【００２０】
【図１】本考案の実施例を示すケース本体の正面図である。
【図２】図１に示すケース本体の展開図である。
【図３】ケース本体の掛け部材にネクタイを巻回する状態を示す平面図である。
【図４】図３において、ネクタイを巻回した状態を示す斜面図である。
【図５】ケース本体にネクタイを収納した状態を示す斜面図である。
【図６】ケース本体の掛け部材にネクタイを複数掛けた状態を示す正面図である。
【図７】ケース本体をハンガーの吊り具に掛けた状態を示す正面図である。
【図８】他の例のケース本体を示す展開図である。
【図９】更に他の例のケース本体を示す展開図である。
【図１０】更に他の例のケース本体を示す展開図である。
【符号の説明】
【００２１】
２  ケース本体    ３  表面部材    ４  裏面部材    ５  掛け部材    ６  掛け孔    ７  保定具    ８，１０、２０、２１  折り目    １３  吊り用孔    １５  支持片    １８、１９  舌片
【図１】
0003146449.tif 000003
【図２】
0003146449.tif 000004
【図３】
0003146449.tif 000005
【図４】
0003146449.tif 000006
【図５】
0003146449.tif 000007
【図６】
0003146449.tif 000008
【図７】
0003146449.tif 000009
【図８】
0003146449.tif 000010
【図９】
0003146449.tif 000011
【図１０】
0003146449.tif 000012